(57)【要約】【課題】天板の外周端部を把持する把持部材を備えたオプション部材を、容易に設置する。【解決手段】デスクは、上面１１ａを有する天板１１と、天板１１の後端１１ｒに、その板厚方向に貫通して形成され、天板１１の外方に向かって開口したカバー用切欠き凹部１５と、カバー用切欠き凹部１５の下方に設けられ、天板１１の外方を向く側の後端部４ｒが、天板１１の後端１１ｒよりも天板１１の内方にオフセットした位置に配置されたトレー部材４と、を備える。カバー用切欠き凹部１５の両側に隣接する天板１１の後端１１ｒとトレー部材４の後端部４ｒとの間には、天板１１の後端１１ｒを把持することでオプション部材２００を天板１１に固定するための把持部材２０１が挿通可能な把持部材挿通空間Ｓが形成されている。【選択図】図１２
2018075113.tif 000002
【特許請求の範囲】
【請求項１】
作業面を有する天板と、
前記天板の外周端部に、その板厚方向に貫通して形成され、前記天板の外方に向かって開口した開口部と、
前記開口部の下方に設けられ、前記天板の外方を向く側の端部が、前記天板の外周端部よりも前記天板の内方にオフセットした位置に配置されたトレー部材と、
を備え、
前記開口部の両側に隣接する前記天板の外周端部と前記トレー部材の前記端部との間には、前記天板の外周端部を把持することでオプション部材を前記天板に固定するための把持部材が挿通可能な把持部材挿通空間が形成されている
天板付什器。
【請求項２】
前記トレー部材の上方に設けられ、前記開口部を開閉可能に設けられる開閉蓋装置を備え、
前記開閉蓋装置は、
前記開口部を開閉可能に塞ぐ蓋本体と、
前記蓋本体を、前記天板に沿って前記天板の内方に向かってスライド可能に支持するスライド機構と、
を備える請求項１に記載の天板付什器。
【請求項３】
前記開閉蓋装置は、前記蓋本体を支持軸周りに回動可能に支持する回転機構をさらに備える請求項２に記載の天板付什器。
【請求項４】
前記トレー部材は、前記天板の下面に近接または当接して配置されている、請求項１から３のいずれか一項に記載の天板付什器。
【請求項５】
前記トレー部材は、
前記天板の下面に対向して物品を載置可能な物品載置部と、
前記物品載置部において前記天板の外方を向く側に連続して形成され、上方に向かって立ち上がる立ち上がり壁部と、を備える請求項４に記載の天板付什器。
【請求項６】
前記立ち上がり壁部は、上方に向かって前記天板の外方を向く側に傾斜した傾斜面を有している、請求項５に記載の天板付什器。
【発明の詳細な説明】
【技術分野】
【０００１】
本発明は、天板付什器に関する。
【背景技術】
【０００２】
デスク等の天板付什器において、天板上に設置する電子機器等の配線を天板の下方に導くため、天板に開口部を備えたものがある。この開口部を通して配線等を天板の上下方向に挿通させることで、天板付什器の周辺が配線で煩雑になるのを抑えることができる。
【０００３】
ところで、上記したような天板上に、照明装置、棚、電話台、ディスプレイ装置を支持するアーム等の各種のオプション部材を設置することがある。
例えば特許文献１、２には、これらのオプション部材を、天板の外周端部を上下から把持する把持部材を用い、天板に固定する構成が開示されている。
【先行技術文献】
【特許文献】
【０００４】
【特許文献１】特許第４６７３６０６号公報
【特許文献２】特許第４３３０６７５号公報
【発明の概要】
【発明が解決しようとする課題】
【０００５】
ところで、天板の外周端部を壁面やパネル等に突き当てるようにして天板付什器を設置する場合、オプション部材を固定する把持部材を天板の外周端部に固定するには、天板の外周端部と壁面やパネルとの間に隙間を形成する必要がある。この隙間を通して、天板の上方または下方から把持部材を挿入し、天板の外周端部に固定する。
【０００６】
このため、天板付什器を壁面やパネル等から離間させる方向に移動させなければならず、手間が掛かる。また、使用中の天板付什器の場合、什器内に収容した物品や、天板上に載置した物品等の重量によって、天板付什器の移動自体が困難な場合もある。このような場合、物品を除去しなければならず、天板付什器の移動には、さらなる手間が掛かる。
【０００７】
そこでなされた本発明の目的は、天板の外周端部を把持する把持部材を備えたオプション部材を、容易に設置することができる天板付什器を提供することである。
【課題を解決するための手段】
【０００８】
本発明は、上記課題を解決するため、以下の手段を採用する。
この発明に係る天板付什器は、作業面を有する天板と、前記天板の外周端部に、その板厚方向に貫通して形成され、前記天板の外方に向かって開口した開口部と、前記開口部の下方に設けられ、前記天板の外方を向く側の端部が、前記天板の外周端部よりも前記天板の内方にオフセットした位置に配置されたトレー部材と、を備える。前記開口部の両側に隣接する前記天板の外周端部と前記トレー部材の前記端部との間には、前記天板の外周端部を把持することでオプション部材を前記天板に固定するための把持部材が挿通可能な把持部材挿通空間が形成されている。
【０００９】
このような構成によれば、天板の外周端部を壁面やパネル体等に押し付けるようにして天板付什器を設置した場合であっても、トレー部材の端部と壁面やパネル体との間に、把持部材挿通空間が形成される。この把持部材挿通空間を通して把持部材を挿入した後、この把持部材を天板の外周端部に沿ってスライドさせれば、把持部材を天板の外周端部に固定することができる。これにより、天板付什器を壁面やパネル体から離す方向に移動して、天板と壁面やパネル体との間に把持部材を挿通させるための空間を確保する必要がなくなる。したがって、オプション部材の取り付けを容易に行うことが可能となる。
【００１０】
また、この発明に係る天板付什器は、上記天板付什器において、前記トレー部材の上方に設けられ、前記開口部を開閉可能に設けられる開閉蓋装置を備え、前記開閉蓋装置は、前記開口部を開閉可能に塞ぐ蓋本体と、前記蓋本体を、前記天板に沿って前記天板の内方に向かってスライド可能に支持するスライド機構と、を備えるようにしてもよい。
【００１１】
このような構成によれば、スライド機構で蓋本体が天板に沿って天板の内方に向かってスライドすることで、蓋本体のスライド方向後方、つまり、蓋本体に対して天板の外方側に把持部材挿通空間を形成することができる。この把持部材挿通空間を通して、天板に取り付けるオプション部材の把持部材等を挿通させることができる。
【００１２】
また、この発明に係る天板付什器は、上記天板付什器において、前記開閉蓋装置は、前記蓋本体を支持軸周りに回動可能に支持する回転機構をさらに備えるようにしてもよい。
【００１３】
このような構成によれば、回転機構で蓋本体を支持軸周りに回動可能に支持することで、蓋本体を支持軸周りに回動させて開閉することができる。これにより、必要に応じて開口部を通して配線等を挿通させることができる。
【００１４】
また、この発明に係る天板付什器は、上記天板付什器において、前記トレー部材は、前記天板の下面に近接または当接して配置されているようにしてもよい。
【００１５】
このような構成によれば、トレー部材を天板に取り付けた際の上下寸法を小さく抑えることが出来、使用者の下肢空間を広く確保することができる。また、什器としての体裁を良好なものとすることができる。
【００１６】
また、この発明に係る天板付什器は、上記天板付什器において、前記トレー部材は、前記天板の下面に対向して物品を載置可能な物品載置部と、前記物品載置部において前記天板の外方を向く側に連続して形成され、上方に向かって立ち上がる立ち上がり壁部と、を備えるようにしてもよい。
【００１７】
このような構成によれば、物品載置部に、コンセントや配線等を配置することができる。また、立ち上がり壁部によって、物品載置部に載置したコンセントや配線等の物品が、把持部材挿通空間側にはみ出るのを抑えることができる。これによって、物品の落下を防止するとともに、把持部材挿通空間に把持部材を通すときに、トレー部材からはみ出た物品が邪魔になるのを抑えることができる。
【００１８】
また、この発明に係る天板付什器は、上記天板付什器において、前記立ち上がり壁部は、上方に向かって前記天板の外方を向く側に傾斜した傾斜面を有しているようにしてもよい。
【００１９】
このような構成によれば、傾斜面にコンセントやＵＳＢ等の接続コネクタを設けることによって、開口部を通してのコンセントやＵＳＢ等の接続コネクタへのアクセス性が向上し、什器としての使い勝手をより向上させることができる。
【発明の効果】
【００２０】
この発明に係る天板付什器によれば、天板の外周端部を把持する把持部材を備えたオプション部材を、容易に設置することができる。
【図面の簡単な説明】
【００２１】
【図１】この発明の一実施形態に係る天板付什器の全体構成を示す斜視図である。
【図２】上記天板付什器に設けた配線カバー装置を示す斜視図である。
【図３】上記配線カバー装置の配線カバーを開いた状態を示す斜視断面図である。
【図４】上記配線カバー装置の構成を示す斜視展開図である。
【図５】上記配線カバー装置を閉状態としたときの断面図である。
【図６】図５の要部を示す拡大断面図である。
【図７】上記配線カバーを構成する蓋基体の構成を示す斜視図である。
【図８】上記配線カバーを構成する弾性閉塞カバーを示す斜視図である。
【図９】上記配線カバーを構成する枠部材を示す斜視図である。
【図１０】上記枠部材に形成したガイド溝とスライド部材との関わりを示す斜視図である。
【図１１】上記ガイド溝、スライド部材、蓋基体の関係を示す斜視展開図である。
【図１２】上記配線カバーをスライドさせた状態を示す断面図である。
【図１３】上記配線カバーを開状態から閉状態に移行させる途中の状態を示す断面図である。
【図１４】上記配線カバーを開状態としたときの断面図である。
【図１５】上記天板付什器へのオプション部材の把持部材の取り付け方法の流れを示す斜視図である。
【発明を実施するための形態】
【００２２】
以下、本発明の実施の形態による天板付什器について、図面に基づいて説明する。
図１は、この発明の一実施形態に係る天板付什器の全体構成を示す斜視図である。図２は、上記天板付什器に設けた配線カバー装置を示す斜視図である。図３は、上記配線カバー装置の配線カバーを開いた状態を示す斜視断面図である。図４は、上記配線カバー装置の構成を示す斜視展開図である。図５は、上記配線カバー装置を閉状態としたときの断面図である。図６は、図５の要部を示す拡大断面図である。図７は、上記配線カバーを構成する蓋基体の構成を示す斜視図である。図８は、上記配線カバーを構成する弾性閉塞カバーを示す斜視図である。図９は、上記配線カバーを構成する枠部材を示す斜視図である。図１０は、上記枠部材に形成したガイド溝とスライド部材との関わりを示す斜視図である。図１１は、上記ガイド溝、スライド部材、蓋基体の関係を示す斜視展開図である。図１２は、上記配線カバーをスライドさせた状態を示す断面図である。図１３は、上記配線カバーを開状態から閉状態に移行させる途中の状態を示す断面図である。図１４は、上記配線カバーを開状態としたときの断面図である。図１５は、上記天板付什器へのオプション部材の把持部材の取り付け方法の流れを示す斜視図である。
【００２３】
図１に示すように、デスク（天板付什器）１は、天板１１と、床面Ｆ上に互いに間隔をあけて配置され、天板１１を昇降可能に支持し、上下方向Ｄｖに伸縮可能に構成された一対の天板支持脚１２，１２と、天板１１の上面（作業面）１１ａに開閉可能に設けられた配線カバー装置（開閉蓋装置）１０と、を有している。
【００２４】
ここで、本実施の形態では、一対の天板支持脚１２，１２が床面Ｆで離間する方向を幅方向Ｄｈといい、上方から見た平面視で幅方向Ｄｈに直交する方向を前後方向Ｄｆという。また、デスク１の前後方向Ｄｆにおいて、使用者が椅子に座ってデスク１に向かう側を前方、前側といい、その反対側を後方、後側という。
【００２５】
天板支持脚１２は、下部筒状体１２Ａと、上部筒状体１２Ｂと、を有している。下部筒状体１２Ａ及び上部筒状体１２Ｂは、それぞれ上下方向Ｄｖに延びる四角形筒状に形成されている。下部筒状体１２Ａの内部に上部筒状体１２Ｂが収納されている。天板支持脚１２は、モータ等の駆動機構（不図示）を備えており、この駆動機構により下部筒状体１２Ａに対して上部筒状体１２Ｂをそれぞれ上下方向Ｄｖに移動させることで、天板支持脚１２を上下方向Ｄｖに伸縮させることができる。
【００２６】
天板支持脚１２の下端部には、下部支持体１３が設けられている。下部支持体１３は、床面Ｆ上に配置され、床面Ｆに平行で前方及び後方のそれぞれに延びている。下部支持体１３の下面には、下部支持体１３の高さ及びレベルの調整を行うアジャスター１３ａが設けられている。天板支持脚１２は、下部支持体１３において中央部分からやや後方側に配置されている。天板支持脚１２の下部筒状体１２Ａは、下部支持体１３の下面側からボルト等により固定されている。
【００２７】
天板支持脚１２の上端部には、天板１１を下方から支持する上部支持体１４が設けられている。上部支持体１４は、上部筒状体１２Ｂの上端部に固定され、前後方向Ｄｆに延びている。天板１１は、上部支持体１４の下方からボルト等により固定されている。
【００２８】
図１、図２に示すように、天板１１における幅方向Ｄｈの中央部の後端（外周端部）１１ｒには、天板１１の板厚方向（上下方向Ｄｖ）に貫通するとともに、天板１１の外方である後方に向けて開口するカバー用切欠き凹部（開口部）１５が形成されている。カバー用切欠き凹部１５は、幅方向Ｄｈに長い長方形状の開口である。このカバー用切欠き凹部１５には、配線カバー装置１０が嵌め込まれている。配線カバー装置１０は、後述する配線カバー（蓋本体）２を備え、この配線カバー２が、図２、図３に示すように回動することで、カバー用切欠き凹部１５によって形成される開口を開閉可能となっている。
【００２９】
図４に示すように、配線カバー装置１０は、配線カバー２と、配線カバー２を回動可能、かつ前後方向Ｄｆ（天板１１に沿い、かつ天板１１の内外方向）にスライド自在に支持する枠部材３と、を備えている。
【００３０】
図５に示すように、配線カバー２は、カバー用切欠き凹部１５の上方及び後方を開閉可能に塞ぐものであり、カバー本体２０と、蓋基体５０と、弾性閉塞カバー６０と、を備えている。
配線カバー２は、蓋基体５０の少なくとも上面を覆うようにカバー本体２０が外嵌され、カバー本体２０及び蓋基体５０の前端部から前方に向けて突出する弾性閉塞カバー６０が装着された構成となっている。
【００３１】
カバー本体２０は、カバー天面板２１と、蓋基体５０の後壁部５２を覆うカバー後面板２２と、カバー天面板２１の前端下面に設けられるカバー係止片２３と、を有している。
本実施の形態では、カバー本体２０は、スチール等の剛性を有する金属製の材料によって形成されている。
【００３２】
カバー天面板２１は、配線カバー２でカバー用切欠き凹部１５を閉塞した閉状態でデスク１の天板１１の上面１１ａに連続した面を形成する。
カバー後面板２２は、配線カバー２でカバー用切欠き凹部１５を閉塞した閉状態（さらに、前方に向けてスライドしていない状態）でデスク１の天板１１の後端１１ｒ（図１、図２参照）に連続した面を形成する。カバー後面板２２は、カバー後面板２２の下端から前方に延び、蓋基体５０の後端下面を覆う後方係止壁２４を一体に備えている。後方係止壁２４には、蓋基体５０の後方下面に形成される爪部５０ｔが係止される係止穴２４ａが形成されている。
【００３３】
図６に示すように、カバー係止片２３は、配線カバー２を閉塞した状態において、カバー天面板２１の下面から下方に延びる縦壁２３１と、縦壁２３１の下端から前方に延びる張り出し壁２３２と、縦壁２３１の上端から前方に延びる延出部２３４とを有している。
カバー係止片２３は、カバー天面板２１の下面に延出部２３４を沿わせた状態で接合されている。
【００３４】
図５、図７に示すように、蓋基体５０は、外嵌されたカバー本体２０のカバー天面板２１の下方に平行に配置される底壁５１と、底壁５１の後端から下方に延びる後壁部５２と、底壁５１の幅方向Ｄｈの両側に位置する側壁部５３、５３と、一対の側壁部５３の前端部同士を連結する蓋係合部５４と、側壁部５３の後端側に設けられる軸支穴５５と、を有している。
【００３５】
底壁５１には、その上面から立ち上がり、幅方向Ｄｈに沿って延びる複数のリブ５１ｒ、５１ｒが設けられている。後壁部５２と両側壁部５３との上端は、蓋基体５０に外嵌されたカバー本体２０のカバー天面板２１の下面に突き当たる。
【００３６】
図６に示すように、蓋係合部５４は、幅方向Ｄｈに延び互いに前後方向Ｄｆに離間して設けられる前リブ５４１と、後リブ５４２と、前リブ５４１及び後リブ５４２の上端同士を全長にわたって連結する連結壁５４３と、を有している。
後リブ５４２は、底壁５１の前端５１ｆとの間に所定間隔をあけて配置されている。この所定間隔は、カバー係止片２３の張り出し壁２３２が挿入でき、かつ縦壁２３１の厚さ寸法に略一致する寸法に設定されている。
【００３７】
また、蓋係合部５４には、カバー本体２０のカバー係止片２３が外側から嵌め込まれるようになっている。具体的には、蓋係合部５４にカバー係止片２３が外嵌した状態において、連結壁５４３にカバー係止片２３の延出部２３４が上方から当接するとともに、後リブ５４２にカバー係止片２３の縦壁２３１が後方から当接している。
このようにして、カバー係止片２３を蓋係合部５４の外側から嵌め込むことで、カバー本体２０が蓋基体５０に取り付けられる。
なお、蓋基体５０に取り付けられるカバー本体２０は、カバー天面板２１の前端部２１ｂが、蓋基体５０の蓋係合部５４の前リブ５４１よりも前方に突出している。
【００３８】
弾性閉塞カバー６０は、配線カバー２がデスク１のカバー用切欠き凹部１５を閉塞した状態において、カバー本体２０のカバー天面板２１の前端部２１ｂとカバー用切欠き凹部１５の前端面との間の隙間を覆うように配置されている。
図８に示すように、弾性閉塞カバー６０は、幅方向Ｄｈに延びるとともに蓋基体５０に装着される装着基部６１と、装着基部６１の前端部６１ａから前方に突出してクシ歯状に形成される複数の弾性腕材６２、６２、…と、装着基部６１の幅方向Ｄｈの両端部分のそれぞれの前側に連設する摘み部６３と、を備えている。
【００３９】
図６に示すように、装着基部６１は、弾性腕材６２よりも、上下方向Ｄｖの厚さ寸法が大きく形成されている。これにともない、装着基部６１の下面には、弾性腕材６２側から後方に向かって漸次下方に傾斜する傾斜面６１ｆが形成されている。
また、装着基部６１には、その上面に、下方に向かって窪み、幅方向Ｄｈに連続する上面係合溝６６が形成されている。さらに、装着基部６１には、その後端面に、前方に向かって窪み、幅方向Ｄｈに連続する後面係合溝６７が形成されている。
【００４０】
このような弾性閉塞カバー６０は、蓋基体５０の蓋係合部５４に形成された前リブ５４１、後リブ５４２、及び連結壁５４３によって囲まれた部分に、装着基部６１が嵌め込まれている。具体的には、装着基部６１の上面係合溝６６に、前リブ５４１が挿入され、装着基部６１に形成された後面係合溝６７には、カバー係止片２３の張り出し壁２３２が挿入されている。
このようにして、弾性閉塞カバー６０は、装着基部６１が、蓋基体５０とカバー本体２０とによって強固に保持されている。
このとき、弾性閉塞カバー６０の装着基部６１は、前リブ５４１と後リブ５４２とによって前後方向Ｄｆに挟み込まれることで、前後方向Ｄｆの移動が規制されている。また、装着基部６１は、連結壁５４３と張り出し壁２３２とによって上下方向Ｄｖに挟み込まれることで、上下方向Ｄｖの移動が規制されている。
【００４１】
また、図３、図５、図６に示すように、弾性閉塞カバー６０の装着基部６１には、幅方向Ｄｈの両端部に、突出片（摺接片）６８が形成されている。この突出片６８は、装着基部６１の下面から下方（天板１１の上面１１ａ（表面）側から裏面側）に向かって延びる基部６８１と、基部６８１の下端から前方に向かって突出する係止爪６８２と、を一体に備える。
図６に示すように、係止爪６８２は、その前端部６８２ａに向かって、上下方向Ｄｖの厚さが漸次小さくなるよう形成されている。係止爪６８２の下面には、前端部６８２ａに向かって上方に傾斜した湾曲面６８２ｆが形成されている。
【００４２】
このような弾性閉塞カバー６０は、ゴム系材料または軟質樹脂材料等から形成され、弾性腕材６２、６２、…、及び突出片６８は弾性変形可能とされている。
ここで、図３に示すように、突出片６８は、平断面視形状が、幅方向Ｄｈに長く、前後方向Ｄｆに短い横長の長方形状とされている。これによって、突出片６８は、前後方向に弾性変形しやすくなっている。
【００４３】
図９に示すように、枠部材３は、平面視コ字状をなし、カバー用切欠き凹部１５の周縁部に対向する前壁部３１及び一対の側壁部３２，３２を有している。
前壁部３１は、幅方向Ｄｈに延びている。前壁部３１には、ビス（図示無し）が挿通される貫通孔３１ｈが形成されている。
一対の側壁部３２，３２は、前壁部３１の幅方向Ｄｈの両端部から前後方向Ｄｆに延び、幅方向Ｄｈにおいて間隔を空けて対向している。
【００４４】
図３、図９に示すように、これら前壁部３１及び側壁部３２，３２の上端部には、カバー用切欠き凹部１５から天板１１の上面１１ａに沿って外方に向かって突出する縁部３３が形成されている。この縁部３３は、前壁部３１及び側壁部３２，３２をカバー用切欠き凹部１５の周縁部に沿わせた状態で、天板１１の上面１１ａ上に係止される。
【００４５】
また、図９に示すように、側壁部３２，３２の後端部には、それぞれ、幅方向Ｄｈの外側に広がって延びる後壁部３４が一体に形成されている。この後壁部３４は、天板１１の後端１１ｒに突き当たる。
【００４６】
側壁部３２，３２の下端には、幅方向Ｄｈの外側に広がって伸びるステー３５が一体に形成されている。このステー３５には、天板１１の下面に固定するためのビス（図示無し）が挿通される貫通孔３５ｈが形成されている。
このような枠部材３は、前壁部３１及び側壁部３２，３２をカバー用切欠き凹部１５の周縁部に対向させた状態で、前壁部３１に形成された貫通孔３１ｈと、ステー３５に形成された貫通孔３５ｈとに、それぞれビス（図示無し）を挿通させて天板１１に締結することで固定されている。
【００４７】
図９、図１０に示すように、上記枠部材３の一対の側壁部３２，３２には、それぞれ、カバー用切欠き凹部１５の幅方向Ｄｈの内側を向く面に、前後方向Ｄｆに延びるガイド溝３６がそれぞれ形成されている。
【００４８】
図１０、図１１に示すように、このような枠部材３に対し、配線カバー２は、一対のスライド部材７０、７０を介し、回動可能、かつ前後方向（内外方向）Ｄｆにスライド可能に連結されている。スライド部材７０は、枠部材３の側壁部３２に形成されたガイド溝３６内に収容されるベース部７１と、ベース部７１の後端に設けられた支持軸７２と、を一体に備える。
【００４９】
ベース部７１は、ガイド溝３６の内側に収まるよう、ガイド溝３６の上下方向Ｄｖの幅よりも僅かに小さく、ガイド溝３６の前後方向Ｄｆの長さよりも短く形成されている。このベース部７１は、ガイド溝３６内に収容された状態で、前後方向Ｄｆにスライド可能に設けられている。ここで、スライド部材７０は、ベース部７１の上下に設けられた係止突起７１ａが、ガイド溝３６内に形成された被係止スリット（図示無し）に係止されることで、ガイド溝３６から脱落しない状態で、ガイド溝３６に沿って前後方向Ｄｆにスライド自在とされている。
【００５０】
支持軸７２は、ベース部７１において、カバー用切欠き凹部１５の幅方向Ｄｈの内側に向かって突出して形成されている。この支持軸７２は、配線カバー２の蓋基体５０に形成された軸支穴５５に挿入され、軸支穴５５内で回動可能に連結されている。
このようなスライド部材７０は、支持軸７２の先端部に設けられた係止爪７２ａが、軸支穴５５内に設けられた被係止部（図示無し）に係止されることで、軸支穴５５からの脱落が防止された状態で、軸支穴５５に回動自在に連結されている。
【００５１】
このようにして、配線カバー２は、支持軸７２を介して、スライド部材７０に回動自在に連結されることで、支持軸７２周りに回動自在とされている。すなわち、支持軸７２は、配線カバー２をカバー用切欠き凹部１５において互いに対向する対辺を結ぶ幅方向Ｄｈに延びる支持軸７２周りに回動可能に支持する回転機構７５を構成している。
また、支持軸７２を介して連結されたスライド部材７０のベース部７１が、ガイド溝３６に沿ってスライドすることによって、配線カバー２が前後方向Ｄｆにスライド移動可能とされている。すなわち、ガイド溝３６及びスライド部材７０のベース部７１が、配線カバー２を、天板１１に沿い、かつ支持軸７２に交差する前後方向Ｄｆにスライド可能に支持するスライド機構７６を構成している。
【００５２】
また、図９に示すように、一対の側壁部３２，３２には、それぞれ、ガイド溝３６に対して前方の位置に、受け部材３７が一体に形成されている。この受け部材３７は、枠部材３において、幅方向Ｄｈの両端部に形成されている。
受け部材３７は、前後方向Ｄｆに延びるガイド部３７１と、ガイド部３７１の後端から下方に垂下する摺接部３７２とが一体に形成されている。
【００５３】
図１２に示すように、ガイド部３７１は、配線カバー２が前方にスライドしたときに、前記の弾性閉塞カバー６０の突出片６８が上面３７１ｆを摺接する。図６に示すように、ガイド部３７１の上面３７１ｆは、弾性閉塞カバー６０の下面の形状を補形するよう、前後方向Ｄｆに延びて摘み部６３を支持する前部支持面３７３と、前後方向Ｄｆに延びて装着基部６１の下面を支持する後部支持面３７４と、前部支持面３７３と後部支持面３７４との間で前方に向かって斜め上方に延びて傾斜面６１ｆを支持する傾斜支持面３７５と、を備えている。
【００５４】
図５に示すように、摺接部３７２は、後部支持面３７４の後端部から垂下している。摺接部３７２は、配線カバー２が閉状態にあるときに、突出片６８に対し、支持軸７２を中心とした径方向において互いに対向するよう配置されている。摺接部３７２の上端部には、後方に向かって斜め下方に傾斜または湾曲した案内面３７２ａが形成されている。
【００５５】
図１３に示すように、このような摺接部３７２は、配線カバー２が支持軸７２周りに回動して開状態から閉状態に移行するとき、突出片６８（の下端部に形成された係止爪６８２）が摺動する。これにより、突出片６８と摺接部３７２との間に摩擦抵抗力が生じる。この摩擦抵抗力によって配線カバー２の回動速度が減速する。
また、突出片６８と摺接部３７２とが摺動すると、突出片６８（の下端部に形成された係止爪６８２の前端部６８２ａ）が摺接部３７２に押圧されて弾性変形する。突出片６８が弾性変形すると、元の形状に戻ろうとする復元力（反発力）が前方に向かって作用する。この復元力によって、突出片６８と摺接部３７２との間に生じる摩擦力が大きくなる。
ここで、突出片６８は、配線カバー２の自重による回転モーメントが作用したときに支持軸７２を中心とした径方向に弾性変形可能であるのが好ましい。このように構成することで、配線カバー２は、その自重のみによって閉じることが可能となる。
【００５６】
また、配線カバー２が支持軸７２周りに回動して開状態から閉状態に移行するとき、まず、突出片６８の下端部に形成された係止爪６８２が、摺接部３７２の上端部の案内面３７２ａに突き当たる。このとき、案内面３７２ａは、後方に向かって斜め下方に傾斜または湾曲しており、係止爪６８２の下面には、前端部６８２ａに向かって上方に傾斜した湾曲面６８２ｆが形成されている。これにより、係止爪６８２が摺接部３７２に引っ掛かるのを抑え、スムーズに閉方向（下方）に移動できるようになっている。さらに、係止爪６８２は、前端部６８２ａに向かって、上下方向Ｄｖの厚さが漸次小さくなるよう形成されているので、摺接部３７２に摺接したときに、容易に弾性変形し、配線カバー２の閉方向への回動を阻害しないようになっている。
【００５７】
図６に示すように、開状態から閉状態に移行するよう回動した配線カバー２が、幅方向Ｄｈの両側に設けられたガイド部３７１に突き当たると、完全に閉状態となる。このとき、摺接部３７２の下端に突出片６８の係止爪６８２が係合する。これにより、配線カバー２が閉状態にロックされる。
この閉状態において、配線カバー２は、前端部側が、幅方向Ｄｈの両側に設けられたガイド部３７１によって支持され、後端部側が、支持軸７２を介し、枠部材３に支持されている。
【００５８】
また、図１２に示すように、配線カバー２は、前後方向Ｄｆにスライドするときには、配線カバー２の後端部は、スライド部材７０が枠部材３に形成されたガイド溝３６に沿って前後方向Ｄｆにスライドする。また、配線カバー２の前端部は、突出片６８が、ガイド部３７１の上面の後部支持面３７４、傾斜支持面３７５、前部支持面３７３の上面に沿って摺接する。これによって、配線カバー２は、スライド中、全開状態よりも開度が小さい微開状態に維持される。
【００５９】
このように、配線カバー２が、支持軸７２に交差する方向である前後方向Ｄｆに沿って前方（天板１１の内方）に向かってスライドすると、配線カバー２のスライド方向後方に、把持部材挿通空間（空間）Ｓが形成される。このようにして、デスク１の天板１１を、壁面やパネル体Ｐ等に押し付けるように設置した場合であっても、配線カバー２を前方に向かってスライドさせれば、配線カバー２と、配線カバー２のスライド方向後方の壁面やパネル体Ｐとの間に、把持部材挿通空間Ｓを形成することができる。
【００６０】
上記配線カバー装置１０の下方には、トレー部材４が設けられている。
トレー部材４は、カバー用切欠き凹部１５の下方に設けられている。トレー部材４は、天板１１の下面に対向して形成され、その上面に物品を載置可能な物品載置部４１と、物品載置部４１において天板１１の外方を向く後方側に連続して形成され、上方に向かって立ち上がる立ち上がり壁部４２と、物品載置部４１の前端部から上方に向かって立ち上がる前部立ち上がり壁４４と、を備えている。立ち上がり壁部４２は、上方に向かって天板１１の外方を向く側に傾斜した傾斜面４３を有している。トレー部材４は、天板１１の下面に当接して固定されている。
【００６１】
図１４に示すように、このようなトレー部材４の傾斜面４３には、コンセント１００や、その他の接続コネクタ等を設けることができる。これにより、配線カバー２を開いた状態で、傾斜面４３に設けたコンセント１００に対し、天板１１上で用いる電子機器等の配線１０１の先端部に設けられた接続プラグ１０２を容易に接続することができる。
【００６２】
このようなトレー部材４は、天板１１の外方（後方）を向く側の後端部（端部）４ｒが、天板１１の後端１１ｒよりも、天板１１の内方（前方）にオフセットした位置に配置されている。これにより、トレー部材４は、カバー用切欠き凹部１５の内側において、トレー部材４の後端部４ｒの後方に、把持部材挿通空間Ｓを形成する。この把持部材挿通空間Ｓは、上記したようにして配線カバー２を前方にスライドさせたときに、その後方に形成されるものである。
【００６３】
次に、上記したようなデスク１に対し、オプション部材２００の取り付ける方法について説明する。すなわち、上記把持部材挿通空間Ｓを通して、オプション部材２００を天板１１に固定させるための把持部材２０１を、挿通させることができる。
デスク１に対し、オプション部材２００の取り付けるには、まず、図１５に示すように、配線カバー２を、支持軸７２に交差する方向に沿って天板１１の内方、すなわち前方に向かってスライドすることで、配線カバー２のスライド方向後方に、把持部材挿通空間Ｓを形成する。
【００６４】
次いで、形成された把持部材挿通空間Ｓに、オプション部材２００を天板１１に固定するための把持部材２０１を上方から下方に向かって挿入する（図１５中、矢印Ａ１）。
次に、把持部材２０１を、把持部材挿通空間Ｓからカバー用切欠き凹部１５に対して幅方向Ｄｈで隣接する天板１１の後端１１ｒに沿ってスライドさせる（図１５中、矢印Ａ２）。
【００６５】
把持部材２０１が、天板の後端１１ｒにおいて所望の位置に到達したら、図１２に示すように、クランプネジ２０２等を締め付けることで、把持部材２０１を、天板１１の後端１１ｒに固定する。
【００６６】
上述したようなデスク１は、上面１１ａを有する天板１１と、天板１１の後端１１ｒに、その板厚方向（上下方向Ｄｖ）に貫通して形成され、天板１１の外方（後方）に向かって開口したカバー用切欠き凹部１５と、カバー用切欠き凹部１５の下方に設けられ、天板１１の外方（後方）を向く側の後端部４ｒが、天板１１の後端１１ｒよりも天板１１の内方（前方）にオフセットした位置に配置されたトレー部材４と、を備える。前後方向Ｄｆにおいて、カバー用切欠き凹部１５の両側に隣接する天板１１の後端１１ｒとトレー部材４の後端部４ｒとの間には、天板１１の後端１１ｒを把持することでオプション部材２００を天板１１に固定するための把持部材２０１が挿通可能な把持部材挿通空間Ｓが形成されている。
このような構成によれば、天板１１の後端１１ｒを壁面やパネル体Ｐ等に押し付けるようにしてデスク１を設置した場合であっても、トレー部材４の後端部４ｒと壁面やパネル体Ｐとの間に、把持部材挿通空間Ｓが形成される。この把持部材挿通空間Ｓを通して把持部材２０１を挿入した後、この把持部材２０１を天板１１の後端１１ｒに沿ってスライドさせれば、把持部材２０１を天板１１の後端１１ｒに固定することができる。これにより、デスク１を壁面やパネル体Ｐから離す方向に移動して、天板１１と壁面やパネル体Ｐとの間に把持部材２０１を挿通させるための空間を確保する必要がなくなる。したがって、天板１１の後端１１ｒを把持する把持部材２０１を備えたオプション部材２００を、容易に設置することができる。
【００６７】
また、デスク１は、トレー部材４の上方に設けられ、カバー用切欠き凹部１５を開閉可能に設けられる配線カバー装置１０を備えている。配線カバー装置１０は、カバー用切欠き凹部１５を開閉可能に塞ぐ配線カバー２と、配線カバー２を、天板１１に沿って天板１１の内方に向かってスライド可能に支持するスライド機構７６と、を備えている。
このような構成によれば、スライド機構７６で配線カバー２が天板１１に沿って天板１１の内方に向かってスライドすることで、配線カバー２のスライド方向後方、つまり、配線カバー２に対して天板１１の外方側に把持部材挿通空間Ｓを形成することができる。この把持部材挿通空間Ｓを通して、天板１１に取り付けるオプション部材２００の把持部材２０１等を挿通させることができる。
【００６８】
また、配線カバー装置１０は、配線カバー２を支持軸７２周りに回動可能に支持する回転機構７５をさらに備えている。
このような構成によれば、回転機構７５で配線カバー２を支持軸７２周りに回動可能に支持することで、配線カバー２を支持軸７２周りに回動させて開閉することができる。これにより、必要に応じてカバー用切欠き凹部１５を通して配線１０１等を挿通させることができる。
【００６９】
また、トレー部材４は、天板１１の下面に近接または当接して配置されている。
このような構成によれば、トレー部材４を天板１１に取り付けた際の上下寸法を小さく抑えることが出来、使用者の下肢空間を広く確保することができる。また、デスク１としての体裁を良好なものとすることができる。
【００７０】
また、トレー部材４は、天板１１の下面に対向して物品を載置可能な物品載置部４１と、物品載置部４１において天板１１の外方（後方）を向く側に連続して形成され、上方に向かって立ち上がる立ち上がり壁部４２と、を備える。
このような構成によれば、物品載置部４１に、コンセントや配線１０１等を載置することができる。また、立ち上がり壁部４２によって、物品載置部４１に載置したコンセント１００や配線１０１等の物品が、把持部材挿通空間Ｓ側にはみ出るのを抑えることができる。これによって、物品の落下を防止するとともに、把持部材挿通空間Ｓに把持部材２０１を通すときに、トレー部材４からはみ出た物品が邪魔になるのを抑えることができる。
【００７１】
また、立ち上がり壁部４２は、上方に向かって天板１１の外方を向く側に傾斜した傾斜面４３を有している。
このような構成によれば、傾斜面４３にコンセント１００やＵＳＢ等の接続コネクタを設けることによって、カバー用切欠き凹部１５を通してのコンセント１００やＵＳＢ等の接続コネクタへのアクセス性が向上し、デスク１としての使い勝手をより向上させることができる。
【００７２】
（その他の実施形態）
なお、本発明の天板付什器は、図面を参照して説明した上述の実施形態に限定されるものではなく、その技術的範囲において様々な変形例が考えられる。
例えば、上記実施形態では、配線カバー装置１０を設けたカバー用切欠き凹部１５は、天板１１の後端１１ｒに形成されているが、天板１１の側端や前端等、他の部位に形成されたものであってもよい。
また、配線カバー装置１０の構成は、上記実施形態で示した構成に限らない。さらに、配線カバー装置１０を備えない構成とすることも可能である。
これ以外にも、本発明の主旨を逸脱しない限り、上記実施の形態で挙げた構成を取捨選択したり、他の構成に適宜変更したりすることが可能である。
【符号の説明】
【００７３】
１  デスク（天板付什器）
２  配線カバー（蓋本体）
４  トレー部材
４ｒ  後端部（端部）
１０  配線カバー装置（開閉蓋装置）
１１  天板
１１ａ  上面（作業面）
１１ｒ  後端（外周端部）
１５  カバー用切欠き凹部（開口部）
４１  物品載置部
４２  立ち上がり壁部
４３  傾斜面
７２  支持軸
７５  回転機構
７６  スライド機構
２００  オプション部材
２０１  把持部材
Ｐ  壁面やパネル体
Ｓ  把持部材挿通空間
【図１】
2018075113.tif 000003
【図２】
2018075113.tif 000004
【図３】
2018075113.tif 000005
【図４】
2018075113.tif 000006
【図５】
2018075113.tif 000007
【図６】
2018075113.tif 000008
【図７】
2018075113.tif 000009
【図８】
2018075113.tif 000010
【図９】
2018075113.tif 000011
【図１０】
2018075113.tif 000012
【図１１】
2018075113.tif 000013
【図１２】
2018075113.tif 000014
【図１３】
2018075113.tif 000015
【図１４】
2018075113.tif 000016
【図１５】
2018075113.tif 000017